(57)【特許請求の範囲】
【請求項１】
セルを構成する複数のセルサイトと、前記セルサイトと加入者端末との通信の交換などを行う複数の交換局と、前記加入者端末の位置登録情報などの管理を行うＨＬＲ装置とを備えた移動体通信ネットワークにおいて、前記移動体通信ネットワークに前記移動体通信ネットワークの監視・制御を行う網管理装置を接続し、前記網管理装置には前記移動体通信ネットワークのトラヒック情報を収集・蓄積可能なトラヒック情報データベースを接続し、前記ＨＬＲ装置には前記移動体通信ネットワークのセル単位で加入者位置情報を作成・蓄積可能な加入者位置情報データベースを接続し、前記各セルサイトがセル単位にトラヒック情報を定期的に前記網管理装置に通報し、前記網管理装置は前記セル単位のトラヒック情報を前記トラヒック情報データベースに時系列的に蓄積保存し、前記ＨＬＲ装置は前記加入者端末の位置登録情報をセル単位に加入者位置情報として前記加入者位置情報データベースに時系列的に蓄積保存し、前記網管理装置は前記トラヒック情報データベースと前記加入者位置情報データベースを検索して、前記検索の結果に基づいて算出したセル別の発呼率に基づいてセル単位に近い将来の予想トラヒック情報を算出して表示装置などに表示することを特徴とする移動体トラヒック予想方法。
【請求項２】
前記網管理装置は、前記トラヒック情報データベースを検索して現状のトラヒック情報を読み出し、これをネットワーク情報として入力するステップと、前記加入者位置情報データベースを検索して現状の加入者位置情報を読み出し、これをＨＬＲ情報として入力するステップと、前記ネットワーク情報と前記ＨＬＲ情報とからセル別の現状を解析して現状のセル別のトラヒック情報と発呼率とを算出するステップと、前記トラヒック情報データベースと前記加入者位置情報データベースとを検索して、過去の必要時点までのトラヒック情報と加入者位置情報とを読み出して、セル別の過去の必要時点までの時系列データとしてのトラヒック情報と発呼率とを算出するステップと、前記現状のセル別のトラヒック情報と発呼率と、前記セル別の過去の必要時点までの時系列データとしてのトラヒック情報と発呼率とから、セル単位の平均発呼率の計算を行うステップとを実行することにより、前記平均発呼率を前記近い将来の予想トラヒック情報として表示装置などに表示することを特徴とする請求項１に記載の移動体トラヒック予想方法。
【請求項３】
前記トラヒック情報データベースに蓄積保存されるトラヒック情報は、少なくとも呼数の情報から構成され、前記加入者位置情報データベースに蓄積保存される加入者位置情報は、少なくとも前記各セル内に存在する加入者数の情報から構成されることを特徴とする請求項２に記載の移動体トラヒック予想方法。
【請求項４】
前記発呼率は、前記セルごとのある時点での該セル内の加入者総数のうちどれだけの加入者が発呼するかの比率を示す値である、ことを特徴とする請求項３に記載の移動体トラヒック予想方法。
【請求項５】
セルを構成する複数のセルサイトと、前記セルサイトと加入者端末との通信の交換などを行う複数の交換局と、前記加入者端末の位置登録情報などの管理を行うＨＬＲ装置とを備えた移動体通信ネットワークにおいて、前記移動体通信ネットワークに前記移動体通信ネットワークの監視・制御を行う網管理装置を接続し、前記網管理装置には前記移動体通信ネットワークのトラヒック情報を収集・蓄積可能なトラヒック情報データベースを接続し、前記ＨＬＲ装置には前記移動体通信ネットワークのセル単位で加入者位置情報を作成・蓄積可能な加入者位置情報データベースを接続し、前記各セルサイトがセル単位にトラヒック情報を定期的に前記網管理装置に通報し、前記網管理装置は前記セル単位のトラヒック情報を前記トラヒック情報データベースに時系列的に蓄積保存し、前記ＨＬＲ装置は前記加入者端末の位置登録情報をセル単位に加入者位置情報として前記加入者位置情報データベースに時系列的に蓄積保存し、前記網管理装置は前記トラヒック情報データベースと前記加入者位置情報データベースを検索して、前記検索の結果に基づいて算出したセル別の発呼率に基づいてセル単位に近い将来の予想トラヒック情報を算出して表示装置などに表示することを特徴とする移動体トラヒック予想方式。
【請求項６】
前記網管理装置は、前記トラヒック情報データベースを検索して現状のトラヒック情報を読み出し、これをネットワーク情報として入力し、前記加入者位置情報データベースを検索して現状の加入者位置情報を読み出し、これをＨＬＲ情報として入力し、前記ネットワーク情報と前記ＨＬＲ情報とからセル別の現状を解析して現状のセル別のトラヒック情報と発呼率とを算出し、前記トラヒック情報データベースと前記加入者位置情報データベースとを検索して、過去の必要時点までのトラヒック情報と加入者位置情報とを読み出して、セル別の過去の必要時点までの時系列データとしてのトラヒック情報と発呼率とを算出し、前記現状のセル別のトラヒック情報と発呼率と、前記セル別の過去の必要時点までの時系列データとしてのトラヒック情報と発呼率とから、セル単位の平均発呼率の計算を行い、前記平均発呼率を前記近い将来の予想トラヒック情報として表示装置などに表示することを特徴とする請求項５に記載の移動体トラヒック予想方式。
【請求項７】
前記トラヒック情報データベースに蓄積保存されるトラヒック情報は、少なくとも呼数の情報から構成され、前記加入者位置情報データベースに蓄積保存される加入者位置情報は、少なくとも前記各セル内に存在する加入者数の情報から構成されることを特徴とする請求項６に記載の移動体トラヒック予想方式。
【請求項８】
前記発呼率は、前記セルごとのある時点での該セル内の加入者総数のうちどれだけの加入者が発呼するかの比率を示す値である、ことを特徴とする請求項７に記載の移動体トラヒック予想方式。
【発明の詳細な説明】
【０００１】
【発明の属する技術分野】
本発明は移動体トラヒック予想方法および予想方式に関し、特に移動体通信ネットワークの網管理装置において、現状及び過去のトラヒック情報と加入者位置情報とを元に近い将来のトラヒック情報を予想し、ネットワークリソースの適切な再配置を行うことを可能とする、移動体トラヒック予想方法および予想方式に関する。
【０００２】
【従来の技術】
近年、携帯電話やＰＨＳ（Ｐｅｒｓｏｎａｌ  Ｈａｎｄｙｐｈｏｎｅ  Ｓｙｓｔｅｍ：簡易携帯電話）などの移動体通信の需要には目覚しいものがあり、電話利用に加えデータ通信サービスが開始されて以来、移動体通信ネットワークのトラヒックが益々増加する傾向にある。
【０００３】
移動体通信ネットワーク（以下、ネットワークと略す）の特徴としては、一般加入者が移動局としての加入者端末を持って移動することにより、ネットワークのトラヒックが集中する無線基地局（以下、セルサイトと略す）のカバレッジエリア（以下、セルと略す）が日によって、また時間によって変化する、ということを挙げることが出来る。そして、ネットワークの運用管理を行うネットワーク運用管理者には、日々変化するネットワークの状態を適切に把握して、ネットワークの有するリソースを適切に再配置するということが求められるようになってきている。
【０００４】
ネットワークのリソースの再配置を行うに際しては、従来から、長期間にわたるネットワークのトラヒックの観測を行い、観測データをもとに統計的な手法を用いて長期間のトラヒック予想を行って、該トラヒック予想に適合させるべくリソースの再配置を行うなどの手法により対処している。こうした従来からのトラヒック予想方式においては、日々ネットワークが出力するトラヒック情報を収集し、収集したデータの解析を行ってグラフ表示などの視覚化を行い、グラフの傾きなどを利用して将来のトラヒックを予想するなどの手法が採用されているが、そうした方式はあくまで長期間のトラヒック予測であり、短くとも１日単位か或いは１週間単位の予想であった。そして、それよりも短期間のトラヒック集中に対しては、ネットワークリソースの再配置を行うのではなく、ネットワークへの発呼を規制するという手法で対処するというものであった。
【０００５】
【発明が解決しようとする課題】
上述した従来のネットワークの運用管理においては、ネットワーク運用管理者の有する経験値、例えば、加入者が何処でどの程度加入者端末を利用するかなどといった経験値と、日々のトラヒック情報などから、事前にトラヒックの増加予測を行うと共にトラヒックが集中しそうなセルサイトの推定を行い、勘をたよりに保守人員の配置や回線設定の適性化などリソースの再配置を行って対処していた。しかし、特にトラヒックが集中するセルサイトに対する短時間での迅速な対応は難しく、通常はネットワークへの発呼規制によってネットワークの安定化を図ろうとするものであり、移動体通信の利用者である加入者にとっては、加入者端末を使用しての電話通信を行えない場合があるなどの欠点を有していた。
【０００６】
本発明は、上述した事情を改善するために成されたものであり、本発明の目的は、移動体通信ネットワークの網管理装置において、現状及び過去のトラヒック情報と加入者位置情報とを元に近い将来のトラヒック情報を的確に予想することによって、ネットワークリソースの適切な再配置を行うことを可能とする、移動体トラヒック予想方法および予想方式を提供することにある。
【０００７】
【課題を解決するための手段】
本発明の移動体トラヒック予想方法は、セルを構成する複数のセルサイトと、前記セルサイトと加入者端末との通信の交換などを行う複数の交換局と、前記加入者端末の位置登録情報などの管理を行うＨＬＲ装置とを備えた移動体通信ネットワークにおいて、前記移動体通信ネットワークに前記移動体通信ネットワークの監視・制御を行う網管理装置を接続し、前記網管理装置には前記移動体通信ネットワークのトラヒック情報を収集・蓄積可能なトラヒック情報データベースを接続し、前記ＨＬＲ装置には前記移動体通信ネットワークのセル単位で加入者位置情報を作成・蓄積可能な加入者位置情報データベースを接続し、前記各セルサイトがセル単位にトラヒック情報を定期的に前記網管理装置に通報し、前記網管理装置は前記セル単位のトラヒック情報を前記トラヒック情報データベースに時系列的に蓄積保存し、前記ＨＬＲ装置は前記加入者端末の位置登録情報をセル単位に加入者位置情報として前記加入者位置情報データベースに時系列的に蓄積保存し、前記網管理装置は前記トラヒック情報データベースと前記加入者位置情報データベースを検索して、前記検索の結果に基づいて算出したセル別の発呼率に基づいてセル単位に近い将来の予想トラヒック情報を算出して表示装置などに表示することを特徴とする。
【０００８】
また、前記網管理装置は、前記トラヒック情報データベースを検索して現状のトラヒック情報を読み出し、これをネットワーク情報として入力するステップと、前記加入者位置情報データベースを検索して現状の加入者位置情報を読み出し、これをＨＬＲ情報として入力するステップと、前記ネットワーク情報と前記ＨＬＲ情報とからセル別の現状を解析して現状のセル別のトラヒック情報と発呼率とを算出するステップと、前記トラヒック情報データベースと前記加入者位置情報データベースとを検索して、過去の必要時点までのトラヒック情報と加入者位置情報とを読み出して、セル別の過去の必要時点までの時系列データとしてのトラヒック情報と発呼率とを算出するステップと、前記現状のセル別のトラヒック情報と発呼率と、前記セル別の過去の必要時点までの時系列データとしてのトラヒック情報と発呼率とから、セル単位の平均発呼率の計算を行うステップとを実行することにより、前記平均発呼率を前記近い将来の予想トラヒック情報として表示装置などに表示することを特徴とする。
【０００９】
さらに、前記トラヒック情報データベースに蓄積保存されるトラヒック情報は、少なくとも呼数の情報から構成され、前記加入者位置情報データベースに蓄積保存される加入者位置情報は、少なくとも前記各セル内に存在する加入者数の情報から構成されることを特徴とする。
【００１０】
また、前記発呼率は、前記セルごとのある時点での該セル内の加入者総数のうちどれだけの加入者が発呼するかの比率を示す値である、ことを特徴とする。
【００１１】
本発明の移動体トラヒック予想方式は、セルを構成する複数のセルサイトと、前記セルサイトと加入者端末との通信の交換などを行う複数の交換局と、前記加入者端末の位置登録情報などの管理を行うＨＬＲ装置とを備えた移動体通信ネットワークにおいて、前記移動体通信ネットワークに前記移動体通信ネットワークの監視・制御を行う網管理装置を接続し、前記網管理装置には前記移動体通信ネットワークのトラヒック情報を収集・蓄積可能なトラヒック情報データベースを接続し、前記ＨＬＲ装置には前記移動体通信ネットワークのセル単位で加入者位置情報を作成・蓄積可能な加入者位置情報データベースを接続し、前記各セルサイトがセル単位にトラヒック情報を定期的に前記網管理装置に通報し、前記網管理装置は前記セル単位のトラヒック情報を前記トラヒック情報データベースに時系列的に蓄積保存し、前記ＨＬＲ装置は前記加入者端末の位置登録情報をセル単位に加入者位置情報として前記加入者位置情報データベースに時系列的に蓄積保存し、前記網管理装置は前記トラヒック情報データベースと前記加入者位置情報データベースを検索して、前記検索の結果に基づいて算出したセル別の発呼率に基づいてセル単位に近い将来の予想トラヒック情報を算出して表示装置などに表示することを特徴とする。
【００１２】
また、前記網管理装置は、前記トラヒック情報データベースを検索して現状のトラヒック情報を読み出し、これをネットワーク情報として入力し、前記加入者位置情報データベースを検索して現状の加入者位置情報を読み出し、これをＨＬＲ情報として入力し、前記ネットワーク情報と前記ＨＬＲ情報とからセル別の現状を解析して現状のセル別のトラヒック情報と発呼率とを算出し、前記トラヒック情報データベースと前記加入者位置情報データベースとを検索して、過去の必要時点までのトラヒック情報と加入者位置情報とを読み出して、セル別の過去の必要時点までの時系列データとしてのトラヒック情報と発呼率とを算出し、前記現状のセル別のトラヒック情報と発呼率と、前記セル別の過去の必要時点までの時系列データとしてのトラヒック情報と発呼率とから、セル単位の平均発呼率の計算を行い、前記平均発呼率を前記近い将来の予想トラヒック情報として表示装置などに表示することを特徴とする。
【００１３】
さらに、前記トラヒック情報データベースに蓄積保存されるトラヒック情報は、少なくとも呼数の情報から構成され、前記加入者位置情報データベースに蓄積保存される加入者位置情報は、少なくとも前記各セル内に存在する加入者数の情報から構成されることを特徴とする。
【００１４】
また、前記発呼率は、前記セルごとのある時点での該セル内の加入者総数のうちどれだけの加入者が発呼するかの比率を示す値である、ことを特徴とする。
【００１５】
【発明の実施の形態】
次に、本発明の実施の形態について図面を参照して説明する。
【００１６】
図１は、本発明の移動体トラヒック予想方式の一実施形態を示すブロック図である。
【００１７】
図１に示す本実施の形態は、無線基地局であるところの複数のセルサイト１５（１５−１、１５−２、１５−ｎ）と、セルサイト１５と移動局であるところの加入者端末との通信の交換などを行う図示しない複数の交換局とから、移動体通信ネットワーク２３が構成されている。各々のセルサイト１５は、それぞれ自セルサイト１５のカバレッジエリアをセルとして構成している。そして、移動体通信ネットワーク２３内の加入者端末の位置登録情報などの管理を行うＨＬＲ（Ｈｏｍｅ  Ｌｏｃａｔｉｏｎ  Ｒｅｇｉｓｔｅｒ：ホームロケーションレジスタ）装置１４と、移動体通信ネットワーク２３及びＨＬＲ装置１４を統合してネットワーク全体の監視・制御を行う網管理装置１３とが、移動体通信ネットワーク２３に接続されている。ＨＬＲ装置１４と網管理装置１３とは相互に通信可能に接続されている。また、ＨＬＲ装置１４には、セル単位で加入者端末位置情報を作成及び蓄積可能な加入者位置情報データベース１２が接続されており、網管理装置１３には、移動体通信ネットワーク２３のトラヒック情報を収集及び蓄積可能なトラヒック情報データベース１１が接続されている。
【００１８】
ＨＬＲ装置１４は、加入者位置情報データベース１２を使用して、セル単位に加入者端末位置情報を収集及び管理する。また、各セルサイト１５は、セル単位にトラヒック情報をまとめて網管理装置１３に通報し、網管理装置１３は、各セルサイト１５より通報されるトラヒック情報からトラヒック情報データベース１１を作成する。網管理装置１３は更に、トラヒック情報データベース１１を検索する機能を備え、加入者位置情報データベース１２から加入者端末位置情報をセル単位で検索及び表示する機能をも備えている。そして網管理装置１３は、上述のトラヒック情報データベース１１及び加入者位置情報データベース１２内に蓄積・格納された現在及び過去のトラヒック情報と加入者端末位置情報とを照らし合わせ、ネットワークリソースを再配置するために必要となる近い将来のトラヒック情報を予想し、この予想トラヒック情報を網管理装置１３の備える表示装置などに表示する。
【００１９】
次に、図２、図３、図４を参照して、本実施形態の動作について詳細に説明する。なお、図２、図３、図４において図１に示す構成要素に対応するものは同一の参照数字または符号を付し、その説明を省略する。
【００２０】
図２はデータベースへの情報登録動作を示す図である。
【００２１】
図２において、移動体通信ネットワーク２３内の各セルサイト１５は、セル単位にトラヒック情報をまとめて定期的に網管理装置１３に通報し、網管理装置１３は各セルサイト１５から通報されたトラヒック情報を、自動的にセル単位でトラヒック情報データベース１１に格納し、トラヒック情報（セル単位）２１として蓄積する。トラヒック情報（セル単位）２１には、セル単位のトラヒック情報が時系列的に蓄積保存される。ここでトラヒック情報は、呼数、呼量、呼損率、保留時間などから構成される情報である。
【００２２】
また、移動体通信ネットワーク２３内の各セルサイト１５からは、各セル内に存在する加入者端末の位置登録情報が、時々刻々ＨＬＲ装置１４に登録されてくるので、ＨＬＲ装置１４はこれをセル単位で加入者端末位置情報として定期的に加入者位置情報データベース１２に格納し、加入者位置情報（セル単位）２２として蓄積する。加入者位置情報（セル単位）２２には、セル単位の加入者位置情報が時系列的に蓄積保存される。ここで加入者位置情報は、位置登録情報からセル内に存在する加入者端末の数、すなわちセル内に存在する加入者数に変換されて蓄積されている。
【００２３】
次に、図３を参照して、移動体通信ネットワーク２３のネットワーク運用管理者が、ネットワークリソースの再配置を行う場合の作業手順について説明する。
【００２４】
図３は、ネットワークリソースの再配置を行う場合の作業手順を説明するフローチャートである。
【００２５】
ネットワーク運用管理者は、網管理装置１３を使用して近い将来のトラヒック情報の予想を行い、予想結果としての予想トラヒック情報からネットワークリソースの再配置が必要と判断される場合には、セルサイト１５の収容する回線数の増減や対応する交換局の回線バッファの増減、或いは保守人員の再配置といったネットワークリソースの再配置を行い、移動体通信ネットワーク２３の特定のセルにトラヒックが集中しても対応可能なように事前の予防処置を行う。
【００２６】
図３において、ネットワーク運用管理者が網管理装置１３を使用して再配置作業を開始すると、先ずＤＢ（Ｄａｔａ  Ｂａｓｅ  ：データベース）情報入力のプログラムが起動し、ＤＢ３５（トラヒック情報データベース１１及び加入者位置情報データベース１２）から現状のトラヒック情報と加入者位置情報が入力される（ステップ３１）。入力された情報は次のステップ３２の解析プログラムに送られる。ステップ３２の解析プログラムでは、過去のトラヒック情報をＤＢ３５から検索して読み出し、現状のトラヒック情報と過去のトラヒック情報、さらには現在の特定のセル内に存在する加入者位置情報を元に、近い将来のトラヒック情報の予想を作成する。作成された予想トラヒック情報は、網管理装置１３が備える表示装置などの画面上に表示される。
【００２７】
ネットワーク運用管理者は網管理装置１３で画面表示された予想トラヒック情報を参照し、ネットワークリソースの再配置が必要か否かを判断する（ステップ３３）。ネットワークリソースの再配置が必要と判断された場合には（ステップ３３でＹＥＳ）、上述したネットワークリソースの再配置を行い（ステップ３４）、再配置作業を終了する。ステップ３３でネットワークリソースの再配置は必要ないと判断された場合は（ステップ３３でＮＯ）、再配置は行わずそのまま再配置作業を終了する。
【００２８】
次に、図４を参照して、図３のステップ３１及びステップ３２で行った予想トラヒック情報の算出方式について説明する。
【００２９】
図４は、予想トラヒック情報の算出方式を説明するフローチャートである。
【００３０】
先ず、図３のステップ３１で述べたＤＢ情報入力のプログラムが起動し、ＤＢ３５のトラヒック情報データベース１１を検索して、現状のトラヒック情報を読み出し、これをネットワーク情報４１として入力する。ネットワーク情報４１は、トラヒック情報データベース１１内のセル単位のトラヒック情報の中から、現時点でのトラヒック情報を抽出したものであり、全てのセルの現時点でのトラヒック情報をセル別にまとめたものとなっている。図３のステップ３１のＤＢ情報入力プログラムは、更にＤＢ３５の加入者位置情報データベース１２を検索して、現状の加入者位置情報を読み出し、これをＨＬＲ情報４２として入力する。ＨＬＲ情報４２は、加入者位置情報データベース１２内のセル単位の加入者位置情報の中から、現時点での加入者位置情報を抽出したものであり、全てのセルの現時点での加入者位置情報をセル別にまとめたものとなっている。そして、セル別の加入者位置情報は、セル内に存在する加入者数の情報となっている。
【００３１】
図３のステップ３１で述べたＤＢ情報入力プログラムは、上述したネットワーク情報４１とＨＬＲ情報４２とを、次のステップ３２の解析プログラムに送出する。
【００３２】
図３のステップ３２で述べた解析プログラムは、ネットワーク情報４１とＨＬＲ情報４２とを受け、先ず、セル別の現状を解析して（ステップ４３）、セル別のトラヒック情報と発呼率とを算出する。発呼率は、該当セルのセル内に存在する加入者数と該当セルのトラヒック情報とから、該当セル内の加入者総数の内どれだけの加入者が発呼したかの比率を示すものであり、ネットワーク情報４１とＨＬＲ情報４２とから求め得る値である。例えば、該当セル内の加入者総数が１００人で、該当セル内の一定時間内での呼数が２０呼であったとすれば、その時点での発呼率は２０％ということである。
【００３３】
図３のステップ３２の解析プログラムは次に、セル別の過去のＤＢ解析を行う（ステップ４４）。ステップ４４では、ＤＢ３５のトラヒック情報データベース１１を検索して、過去の必要時点までのトラヒック情報を読み出すと共に、ＤＢ３５の加入者位置情報データベース１２を検索して、過去の必要時点までの加入者位置情報を読み出す。そして、ステップ４３での解析と同様に、セル別のトラヒック情報と発呼率とを、過去の必要時点まで時系列データとして算出し、これを過去の情報４５として求める。過去の情報４５は、図４に示すように、セル識別子、日付、時刻、トラヒック情報、発呼率を１つの単位としており、セル識別子ごとの時系列データとして算出したものである。なお、セル識別子は、図１に示したセルサイト１５のセルを示すものであり、セル識別子１はセルサイト１５−１のセルと対応し、セル識別子ｎはセルサイト１５−ｎのセルと対応している。
【００３４】
図３のステップ３２の解析プログラムは次に、ステップ４６の解析を行う。ステップ４６での解析は、セルごとに、ステップ４３で得た現状のトラヒック情報と発呼率、及び、ステップ４４で過去の情報４５として得た過去の必要時点までの時系列データとしてのトラヒック情報と発呼率とを元に、近い将来の予想トラヒック情報として、平均発呼率の計算を行う。平均発呼率は、現状の発呼率と過去の必要時点までの発呼率との平均値であり、これをセルごとに全てのセルについて計算する。
【００３５】
ステップ４６で得た全てのセルの平均発呼率は、網管理装置１３の表示装置などに、予想トラヒック情報として表示される（ステップ４７）。
【００３６】
【発明の効果】
以上説明したように、本発明の移動体トラヒックの予想方法および予想方式は、移動体通信ネットワークのその時々のセル単位の状況を、現状の発呼率および過去の必要時点までの時系列データとしての発呼率として得ることが出来、これらの発呼率を元に近い将来の平均発呼率を予想トラヒック情報として短時間で表示することができるので、ネットワーク運用管理者にきめの細かいネットワークのトラヒック情報を提供可能となり、移動体通信ネットワークの運用をスムーズに安定して行えるという効果を有している。
【００３７】
また、近い将来の平均発呼率を予想トラヒック情報としてネットワーク運用管理者に提供できるので、ネットワーク運用管理者はネットワークリソースの再配置作業を迅速に実施することが出来、トラヒックが集中して電話がかかりにくくなるという障害を未然にもしくはリアルタイムに防ぐことが可能となるという効果を有している。
【図面の簡単な説明】
【図１】本発明の移動体トラヒック予想方式の一実施形態を示すブロック図である。
【図２】データベースへの情報登録動作を示す図である。
【図３】ネットワークリソースの再配置を行う場合の作業手順を説明するフローチャートである。
【図４】予想トラヒック情報の算出方式を説明するフローチャートである。
【符号の説明】
１１    トラヒック情報データベース
１２    加入者位置情報データベース
１３    網管理装置
１４    ＨＬＲ装置
１５    セルサイト
２１    トラヒック情報（セル単位）
２２    加入者位置情報（セル単位）
２３    移動体通信ネットワーク
【図１】
0003630122.tif 000002
【図２】
0003630122.tif 000003
【図３】
0003630122.tif 000004
【図４】
0003630122.tif 000005